(57)【要約】【課題】支軸を安定良く軸受に保持し得る遊技機用ヒンジ装置を提供する。【解決手段】ヒンジ装置１は、前枠に設けられる支軸３ｂと、外枠に設けられる軸受２と、軸受２に水平軸８を介して上下に傾動可能に取付けられるロック部材４とを有している。軸受２は、支軸３ｂが側方から挿入される挿入口２ｄと、挿入口２ｄから延出する案内溝２ｅを有している。ロック部材４は、挿入口２ｄに挿入された支軸３ｂの上端部によって押される傾斜面４ｄを有し、傾斜面４ｄが支軸３ｂに押されることでロック部材４が付勢部材７に抗して上方に傾動し、支軸３ｂがロック部材４よりも前方に位置する案内溝２ｅの端部２ｅ１まで移動することでロック部材４が付勢部材７によって下方に傾動し、支軸３ｂをロック部材４によって案内溝２ｅの端部２ｅ１に位置保持する構成になっている。【選択図】図４
2008206926.tif 000002
【特許請求の範囲】
【請求項１】
遊技島に設置される外枠と遊技盤が取付けられる前枠とを回動可能に連結する遊技機用ヒンジ装置であって、
前記外枠と前記前枠のいずれか一方に設けられる支軸と、いずれか他方に設けられる軸受と、前記軸受に水平軸を介して上下に傾動可能に取付けられるロック部材とを有し、
前記軸受は、前記支軸が側方から挿入される挿入口と、その挿入口から延出する案内溝を有し、
前記ロック部材は、前記挿入口に挿入された支軸の上端部によって押される傾斜面を有し、前記傾斜面が前記支軸に押されることで前記ロック部材が付勢部材に抗して上方に傾動し、前記支軸が前記ロック部材よりも前方に位置する前記案内溝の端部まで移動することで前記ロック部材が前記付勢部材によって下方に傾動し、前記支軸を前記ロック部材によって前記案内溝の端部に位置保持する構成になっていることを特徴とする遊技機用ヒンジ装置。
【発明の詳細な説明】
【技術分野】
【０００１】
本発明は、遊技機の外枠と前枠とを回動可能に連結する遊技機用ヒンジ装置に関する。
【背景技術】
【０００２】
パチンコ機等の遊技機は、遊技島に設置される外枠と、遊技盤が取付けられる前枠と、外枠と前枠を回動可能に連結するヒンジ装置を有している。ヒンジ装置は、外枠と前枠の左下部同士を回動可能に連結する下部ヒンジと、左上部同士を回動可能に連結する上部ヒンジを有している。前枠は、先ず左下部を下部ヒンジによって外枠に連結させた後に、左上部が上部ヒンジによって外枠に連結される（特許文献１〜３参照）。
【０００３】
特許文献１，２に記載の上部ヒンジは、前枠に設けられる支軸と、外枠に取付けられる軸受と、軸受に垂直軸を介して水平方向に傾動可能に取付けられるロック部材を有している。軸受は、支軸が挿入される挿入口を有している。支軸は、挿入口から軸受に挿入され、ロック部材と軸受の間に形成された案内路を経て、軸受に形成された受部に挿入される。そしてロック部材がばねの付勢力によって元の位置に回動し、案内路をロック部材によって塞ぎ、これによって支軸を軸受の受部に位置保持する構成になっている。
【０００４】
特許文献３に記載の上部ヒンジは、支軸と、支軸が挿入される挿入口を有する軸受を備えている。軸受には、水平軸を介して上下に傾動するラッチ部材が取付けられており、ラッチは、挿入口に挿入された支軸によって上方に傾動し、支軸の上端部を受入れた後に、ばねによって下方に傾動して、支軸の上端部を爪によって引っ掛けて保持する構成になっている。
【特許文献１】特開２００４−１９４７２７号公報
【特許文献２】特開２００５−１５５２１５号公報
【特許文献３】特開２００５−２５３７０１号公報
【発明の開示】
【発明が解決しようとする課題】
【０００５】
しかしこれらヒンジ装置よりも、より安定良く支軸を軸受に保持することができる装置が従来望まれている。そこで本発明は、支軸を安定良く軸受に保持し得る遊技機用ヒンジ装置を提供することを課題とする。
【課題を解決するための手段】
【０００６】
前記課題を達成するために本発明は、各請求項に記載の通りの構成を備える遊技機用ヒンジ装置であることを特徴とする。請求項１に記載の発明によると、外枠と前枠のいずれか一方に設けられる支軸と、いずれか他方に設けられる軸受と、軸受に水平軸を介して上下に傾動可能に取付けられるロック部材とを有している。軸受は、支軸が側方から挿入される挿入口と、その挿入口から延出する案内溝を有している。ロック部材は、挿入口に挿入された支軸の上端部によって押される傾斜面を有し、傾斜面が支軸に押されることでロック部材が付勢部材に抗して上方に傾動し、支軸がロック部材よりも前方に位置する案内溝の端部まで移動することでロック部材が付勢部材によって下方に傾動し、支軸をロック部材によって案内溝の端部に位置保持する構成になっている。
【０００７】
したがって軸受は、側方から略水平方向に支軸を受入れる構成になっている。一方、ロック部材は、上下に傾動することで支軸の移動経路を塞いで支軸を軸受に位置保持する。そのため支軸の略水平方向の移動が上下傾動するロック部材によって規制される。かくして支軸は、三次元的に位置保持される。一方、特許文献１，２に記載の従来のヒンジ装置は、支軸の水平方向の移動が水平方向に傾動するロック部材によって規制されており、支軸を二次元的に位置保持している。そのため本発明は、従来よりも安定良く支軸を軸受に対して位置保持することができる。
【０００８】
また特許文献３に記載の従来のヒンジ装置は、ラッチの先端に形成した爪によって支軸の上端部を引っ掛けるだけの構成である。そのためラッチの爪が支軸によって押されて爪が破損し、これにより支軸が軸受から外れてしまうおそれがある。これに対して本発明のヒンジ装置は、ロック部材の前端部と軸受の案内溝とによって支軸を位置保持する構成である。そのため破損しにくい構成になっており、支軸を軸受に対して安定良く保持することができる。
【発明を実施するための最良の形態】
【０００９】
本発明の実施形態を図１〜６にしたがって説明する。図１に示すようにパチンコ機やスロット機などの遊技機１０は、外枠１１と前枠１２と、これらを回動可能に連結するヒンジ装置１を有している。
【００１０】
外枠１１は、遊技島に設置される部材であって、図１に示すように上下左右の枠部材１１ａ〜１１ｄと、枠部材１１ａ〜１１ｄを矩形状に連結する連結部材１１ｆ〜１１ｉと、左右の枠部材１１ｃ，１１ｄの下端部前面間に取付けられる幕板１１ｅを有している。そして幕板１１ｅの前面には、図示省略の樹脂製の幕板飾りが取付けられる。前枠１２は、木製または樹脂製などの板材であって中央部に開口窓１２ａを有している。そして前枠１２には、図示省略の遊技盤などの各種遊技機部品が取付けられる。
【００１１】
ヒンジ装置１は、図１に示すように外枠１１と前枠１２の左下部同士を回動可能に連結する下部ヒンジ１ｂと、左上部同士を回動可能に連結する上部ヒンジ１ａを有している。下部ヒンジ１ｂは、図１に示すように外枠１１に固定される固定部材５と、前枠１２に取付けられる可動部材６を有している。固定部材５は、左側の枠部材１１ｃに固定される垂直板部５ａと、幕板１１ｅの上面に固定される水平板部５ｂと、水平板部５ｂの先端にて上方に突出する支軸５ｃを有している。可動部材６は、孔６ａを有し、支軸５ｃの上方から孔６ａを支軸５ｃに挿通させることで、固定部材５に回動可能に取付けられる。
【００１２】
上部ヒンジ１ａは、図１に示すように前枠１２に取付けられる軸部材３と、外枠１１側に設けられる軸受２を有している。軸部材３は、金属板製であって、前枠１２の左上面に固定される水平板部３ａと、水平板部３ａから上方に突出する円柱状の支軸３ｂを有している。
【００１３】
軸受２は、金属板製であって図２，３に示すように連結部材１１ｆに一体に形成されている。軸受２は、連結部材１１ｆの前端部から前方に張出す上面２ａと左側面２ｂを有している。上面２ａの右端には、下方に延出する右側面２ｆが形成されている。左側面２ｂの下端には、上面２ａと平行に延出する下面２ｃが形成されている。下面２ｃの右端縁には、挿入口２ｄが形成されており、挿入口２ｄから連続して手前側に円弧状に案内溝２ｅが延設されている。右側面２ｆと左側面２ｂの間には、ロック部材４が水平軸８を介して傾動可能に取付けられる。
【００１４】
ロック部材４は、図２，３に示すようにアルミ等の金属板製である。ロック部材４は、水平板部４ａと、その左右両端縁に立設する左右の側面４ｂを有している。左右の側面４ｂは、軸受２の右側面２ｆと左側面２ｂの間に設置される。そしてこれらに水平軸８が貫通され、水平軸８の先端にＥリング９が取付けられる。これによりロック部材４は、軸受２に対して、水平軸８を中心に上下に傾動可能に取付けられる。
【００１５】
ロック部材４は、図２に示すように水平板部４ａの先端に連続して連結部４ｃと傾斜面４ｄと水平面４ｅを有している。傾斜面４ｄは、図５に示すように右上方に斜めに延出しており、支軸３ｂが挿入口２ｄから挿入されることで下から押上げられる構成になっている。水平面４ｅは、傾斜面４ｄの左端から水平に延出して、軸受２の下面２ｃの上に面接される構成になっている。
【００１６】
ロック部材４と軸受２の間には、図２，４に示すようにロック部材４を付勢する付勢部材７が設けられている。付勢部材７は、コイルスプリングであって、水平軸８が挿通され水平軸８を介して軸受２に取付けられる。付勢部材７の一端部７ａは、軸受２の上面２ａの下側に配され、他端部７ｂは、ロック部材４の水平面４ｅの上側に配される。これによりロック部材４は、付勢部材７によって前端側が下方に付勢され、水平面４ｅが軸受２の下面２ｃに押し付けられる。
【００１７】
ロック部材４の水平板部４ａの後端には、図２，３に示すように解除レバー４ｆが設けられている。解除レバー４ｆは、水平板部４ａから下方に延出しており、解除レバー４ｆを手前に引っ張ることでロック部材４が付勢部材７に抗して上方に傾動する。
【００１８】
前枠１２を外枠１１に取付ける方法は、先ず、図１に示すように前枠１２の可動部材６を外枠１１の固定部材５に組付ける。これにより前枠１２の左下部が下部ヒンジ１ｂによって外枠１１に組付けられる。次に、下部ヒンジ１ｂを中心に前枠１２を傾けて、支軸３ｂを軸部材３の右側から近接させる。そして図４に示すように支軸３ｂを軸受２の挿入口２ｄから挿入し、案内溝２ｅに沿って前側に移動させる。この時、支軸３ｂの先端がロック部材４の傾斜面４ｄの下面に当接し、ロック部材４が支軸３ｂによって押上げられて傾動する（図５，６参照）。
【００１９】
図４（Ｂ）に示すように支軸３ｂが案内溝２ｅの端部２ｅ１に到達すると、支軸３ｂは、ロック部材４よりも前方に位置する。これによりロック部材４は、付勢部材７によって前端部が下方に傾動し、水平面４ｅが軸受２の下面２ｃに押し付けられる。その結果、ロック部材４は、水平面４ｅと傾斜面４ｄの先端によって支軸３ｂが後方に移動することを防止する。これにより支軸３ｂは、案内溝２ｅの端部２ｅ１にて位置保持される。
【００２０】
その結果、上部ヒンジ１ａがワンタッチで組付けられる。そして前枠１２は、支軸３ｂと、下部ヒンジ１ｂの支軸５ｃによって外枠１１に対して回動可能に支持される。前枠１２を外枠１１に対して閉じた位置にした場合には、図３に示すようにロック部材４が軸受２の上面と左側面２ｂによって覆われるために、上部ヒンジ１ａが不正に外される心配がない。前枠１２を外枠１１から外す場合には、先ず前枠１２を外枠１１に対して開いた位置に回動する。そして図３に示すように解除レバー４ｆを引っ張ってロック部材４の前端部を上方に傾動させ、支軸３ｂを案内溝２ｅに沿って挿入口２ｄから取外す。これにより軸部材３を軸受２から外すことができる。
【００２１】
以上のようにしてヒンジ装置１が形成されている。すなわちヒンジ装置１は、図１，４に示すように前枠１２に設けられる支軸３ｂと、外枠１１に設けられる軸受２と、軸受２に水平軸８を介して上下に傾動可能に取付けられるロック部材４とを有している。軸受２は、支軸３ｂが側方から挿入される挿入口２ｄと、挿入口２ｄから延出する案内溝２ｅを有している。ロック部材４は、挿入口２ｄに挿入された支軸３ｂの上端部によって押される傾斜面４ｄを有し、傾斜面４ｄが支軸３ｂに押されることでロック部材４が付勢部材７に抗して上方に傾動し、支軸３ｂがロック部材４よりも前方に位置する案内溝２ｅの端部２ｅ１まで移動することでロック部材４が付勢部材７によって下方に傾動し、支軸３ｂをロック部材４によって案内溝２ｅの端部２ｅ１に位置保持する構成になっている。
【００２２】
したがって軸受２は、側方から略水平方向に支軸３ｂを受入れる構成になっている。一方、ロック部材４は、上下に傾動することで支軸３ｂの移動経路を塞いで支軸３ｂを軸受２に位置保持する。そのため支軸３ｂの略水平方向の移動が上下傾動するロック部材４によって規制される。かくして支軸３ｂは、三次元的に位置保持される。一方、特許文献１，２に記載の従来のヒンジ装置は、支軸の水平方向の移動が水平方向に傾動するロック部材によって規制されており、支軸を二次元的に位置保持している。そのため本発明は、従来よりも安定良く支軸３ｂを軸受２に対して位置保持することができる。
【００２３】
またヒンジ装置１は、ロック部材４と軸受２の案内溝２ｅとによって支軸３ｂを位置保持する構成である。そのため破損しにくい構成になっており、支軸３ｂを軸受２に対して安定良く保持することができる。
【００２４】
（他の実施の形態）
本発明は、上記実施の形態に限定されず、以下の形態等であっても良い。
（１）例えば上記実施の形態は、図１に示すように支軸３ｂが前枠１２側に設けられ、軸受２が外枠１１側に設けられていた。しかし支軸が外枠側に設けられ、軸受が前枠側に設けられる形態であっても良い。
（２）上記実施の形態に係る付勢部材７は、図２に示すようにコイルスプリングであった。しかし付勢部材が板ばねなどのばねあるいはゴム等であっても良い。
【図面の簡単な説明】
【００２５】
【図１】外枠と前枠の斜視図である。
【図２】上部ヒンジの分解斜視図である。
【図３】上部ヒンジの斜視図である。
【図４】上部ヒンジを組付ける様子を示す上部ヒンジの上面一部断面図である。
【図５】図４（Ｂ）の矢印Ｖ方向からの上部ヒンジの前面図である。
【図６】図４（Ｂ）の矢印VI方向からの上部ヒンジの一部右側面図である。
【符号の説明】
【００２６】
１・・・ヒンジ装置
１ａ・・・上部ヒンジ
１ｂ・・・下部ヒンジ
２・・・軸受
２ｄ・・・挿入口
２ｅ・・・案内溝
３・・・軸部材
３ｂ・・・支軸
４・・・ロック部材
４ｄ・・・傾斜面
７・・・付勢部材
８・・・水平軸
１０・・・遊技機
１１・・・外枠
１２・・・前枠
【図１】
2008206926.tif 000003
【図２】
2008206926.tif 000004
【図３】
2008206926.tif 000005
【図４】
2008206926.tif 000006
【図５】
2008206926.tif 000007
【図６】
2008206926.tif 000008